(57)【要約】【課題】本発明は、我国で広く受け入れられているお年玉付年賀葉書に相当するような一定の付加価値を伴う懸賞付き電報を提供する。【解決手段】本発明に係る懸賞付き電報１は、届け先２４、電報本文欄２、差出人２２が記される電報台紙１ａの一部に景品が当たる懸賞番号８、携帯電話読み取り用の懸賞番号を含む二次元識別情報９のいずれか一方又は双方からなる懸賞検索情報７を付した構成とした。【選択図】図１
2010152637.tif 000002
【特許請求の範囲】
【請求項１】
届け先、電報本文、差出人が記される電報台紙の一部に景品が当たる懸賞検索情報を付したことを特徴とする懸賞付き電報。
【請求項２】
届け先、電報本文、差出人が記される電報台紙の一部に景品が当たる懸賞番号、携帯電話読み取り用の懸賞番号を含む二次元識別情報のいずれか一方又は双方からなる懸賞検索情報を付したことを特徴とする懸賞付き電報。
【請求項３】
通信網を介して管理機関のコンピュータシステムに対する電報送信依頼及び届け先付き電報メッセージの送信を行なう差出人の情報作成・通信処理端末と、
受信した届け先付き電報メッセージに基づき景品が当たる懸賞検索情報を付加した懸賞付き電報情報を作成し、作成した懸賞付き電報情報及び届け先への電報送信依頼を通信網を介して電報処理機関側に送信し、差出人に対する課金処理を行なうとともに、通信網を介して検索可能な懸賞告知ページを公開し、懸賞当選者に対する景品送付処理を行なう管理機関のコンピュータシステムと、
管理機関のコンピュータシステムからの懸賞付き電報情報、電報送信依頼を通信網を介して電報処理機関端末にて受信し、電報台紙に届け先、電報本文、差出人が記され、懸賞検索情報を表示した懸賞付き電報文書を作成して、届け先に配達する電報処理機関と、
受領した前記懸賞付き電報文書の懸賞検索情報を基に前記管理機関のコンピュータシステムにアクセスし、懸賞当選の有無を検索する届け先の情報作成・通信処理端末と、
を含むことを特徴とする懸賞付き電報処理システム。
【請求項４】
通信網を介して管理機関のコンピュータシステムに対する電報送信依頼及び届け先付き電報メッセージの送信を行なう差出人の情報作成・通信処理端末と、
受信した届け先付き電報メッセージに基づき景品が当たる懸賞番号、携帯電話読み取り用の懸賞番号を含む二次元識別情報のいずれか一つ又は双方からなる懸賞検索情報を付加した懸賞付き電報情報を作成し、作成した懸賞付き電報情報及び届け先への電報送信依頼を通信網を介して電報処理機関側に送信し、差出人に対する課金処理を行なうとともに、通信網を介して検索可能な懸賞告知ページを公開し、懸賞当選者に対する景品送付処理を行なう管理機関のコンピュータシステムと、
管理機関のコンピュータシステムからの懸賞付き電報情報、電報送信依頼を通信網を介して電報処理機関端末にて受信し、電報台紙に届け先、電報本文、差出人が記され、懸賞検索情報を表示した懸賞付き電報文書を作成して、届け先に配達する電報処理機関と、
受領した前記懸賞付き電報文書の懸賞検索情報を基に前記管理機関のコンピュータシステムにアクセスし、懸賞当選の有無を検索する届け先のコンピュータ端末又は携帯電話からなる情報作成・通信処理端末と、
を含むことを特徴とする懸賞付き電報処理システム。
【請求項５】
通信網を介して管理機関のコンピュータシステムに対する電報送信依頼及び届け先付き電報メッセージの送信を行なう差出人の情報作成・通信処理端末と、
受信した届け先付き電報メッセージに基づき景品が当たる懸賞番号、携帯電話読み取り用の懸賞番号を含む二次元識別情報のいずれか一つ又は双方からなる懸賞検索情報を付加した懸賞付き電報情報を作成し、作成した懸賞付き電報情報及び届け先への電報送信依頼を通信網を介して電報処理機関側に送信し、差出人に対する課金処理を行なうとともに、通信網を介して検索可能な懸賞告知ページを公開し、当選者に対する本人確認処理、懸賞当選者に対する景品送付処理を行なう管理機関のコンピュータシステムと、
管理機関のコンピュータシステムからの懸賞付き電報情報、電報送信依頼を通信網を介して電報処理機関端末にて受信し、電報台紙に届け先、電報本文、差出人が記され、懸賞検索情報を表示した懸賞付き電報文書を作成して、届け先に配達する電報処理機関と、
受領した前記懸賞付き電報文書の懸賞検索情報を基に前記管理機関のコンピュータシステムにアクセスし、懸賞当選の有無を検索する届け先のコンピュータ端末又は携帯電話からなる情報作成・通信処理端末及び当選した場合に前記管理機関宛に本人確認書面を送信する届け先のファクシミリ装置と、
を含むことを特徴とする懸賞付き電報処理システム。
【請求項６】
通信網を介して管理機関のコンピュータシステムに対する景品が当たる懸賞検索情報が付された懸賞付き電報の届け先への電報送信依頼及び届け先付き電報メッセージの送信を行なうとともに、懸賞付き電報情報の送信控を受信し懸賞検索情報を基に管理機関のコンピュータシステムにアクセスし、懸賞当選の有無を検索する差出人のコンピュータ端末又は携帯電話からなる情報作成・通信処理端末及び当選した場合に前記管理機関宛に本人確認書面を送信する差出人のファクシミリ装置と、
受信した届け先付き電報メッセージに基づき景品が当たる懸賞検索情報を付加した懸賞付き電報情報を作成し、作成した懸賞付き電報情報及び届け先への電報送信依頼を通信網を介して電報処理機関側に送信し、懸賞付き電報情報の送信控を前記差出人の情報作成・通信処理端末に送信し、差出人に対する課金処理を行なうとともに、通信網を介して検索可能な懸賞告知ページを公開し、当選者に対する本人確認処理、懸賞当選者に対する景品送付処理を行なう管理機関のコンピュータシステムと、
管理機関のコンピュータシステムからの懸賞付き電報情報、電報送信依頼を通信網を介して電報処理機関端末にて受信し、電報台紙に届け先、電報本文、差出人が記され、懸賞検索情報を表示した懸賞付き電報文書を作成して、届け先に配達する電報処理機関と、
受領した前記懸賞付き電報文書の懸賞検索情報を基に前記管理機関のコンピュータシステムにアクセスし、懸賞当選の有無を検索する届け先のコンピュータ端末又は携帯電話からなる情報作成・通信処理端末及び当選した場合に前記管理機関宛に本人確認書面を送信する届け先のファクシミリ装置と、
を含むことを特徴とする懸賞付き電報処理システム。
【請求項７】
届け先、電報本文、差出人が記される電報台紙に付加される金券、クーポン券、縫いぐるみ添付シール等から選定される付加物に、景品が当たる懸賞番号、携帯電話読み取り用の懸賞番号を含む二次元識別情報のいずれか一方又は双方からなる懸賞検索情報を付したことを特徴とする懸賞付き電報付加物。
【請求項８】
通信網を介して管理機関のコンピュータシステムに対する景品が当たる懸賞検索情報が付された金券、クーポン券、縫いぐるみ添付シール等から選定される懸賞付き電報付加物を付帯する電報の届け先への送信依頼及び届け先付き電報メッセージ、クレジットカード決済情報の送信を行なうとともに、電報情報の送信控を受信し懸賞検索情報を基に管理機関のコンピュータシステムにアクセスし、懸賞当選の有無を検索する差出人のコンピュータ端末又は携帯電話からなる情報作成・通信処理端末及び当選した場合に前記管理機関宛に本人確認書面を送信する差出人のファクシミリ装置と、
受信した届け先付き電報メッセージに基づき電報情報を作成し、作成した電報情報及び懸賞付き電報付加物の届け先への送信依頼を通信網を介して電報処理機関側に送信し、
懸賞付き電報付加物を付帯する電報の送信控を前記差出人の情報作成・通信処理端末に送信し、差出人に対するクレジットカード決済による課金処理を行なうとともに、通信網を介して検索可能な懸賞告知ページを公開し、当選者に対する本人確認処理、懸賞当選者に対する景品送付処理を行なう管理機関のコンピュータシステムと、
管理機関のコンピュータシステムからの懸賞付き電報付加物を付帯する電報情報、電報送信依頼を通信網を介して電報処理機関端末にて受信し、電報台紙に届け先、電報本文、差出人が記された電報文書を作成して、懸賞付き電報付加物とともに届け先に配達する電報処理機関と、
受領した前記懸賞付き電報付加物の懸賞検索情報を基に前記管理機関のコンピュータシステムにアクセスし、懸賞当選の有無を検索する届け先のコンピュータ端末又は携帯電話からなる情報作成・通信処理端末及び当選した場合に前記管理機関宛に本人確認書面を送信する届け先のファクシミリ装置と、
を含むことを特徴とする懸賞付き電報処理システム。
【発明の詳細な説明】
【技術分野】
【０００１】
本発明は、我国で広く受け入れられているお年玉付年賀葉書に相当するような一定の付加価値を伴う新規、斬新な懸賞付き電報、懸賞付き電報処理システム及び懸賞付き電報付加物に関するものである。
【背景技術】
【０００２】
従来から差出人から届け先へ文書情報を伝達する手段として葉書が多く用いられ、この際、本来の文書情報伝達機能に加え景品等が当たるお年玉付年賀葉書のような付加価値を持たせた文書媒体が全国的に汎用されていることは周知である。
【０００３】
また、所定の処理機関に電話等で申込むことで、迅速に届け先へ所望の文書情報を配達する手段として電報処理制度も多用されている。
【０００４】
近年では、インターネット技術、コンピュータ技術を利用し、差出人が所定の処理機関に電子メールで電報送信依頼を行ない、これに応じて処理機関側で電報書面を作成し届け先へ配達するようにしたより利便性の高い電報処理システムも実用化されている。
【０００５】
特許文献１には、顧客の入力端末から少なくとも顧客情報、送信先情報、任意の静止画及び電報文からなる電報情報を入力し、入力された電報情報をネットワークを介して受け付け、電報情報に基づいて電報を編集し、用紙に出力し、送信先情報に基づいて配達するように構成したオーダーメイド電報処理方法及びシステムが開示されている。
【０００６】
しかしながら、上述した電報処理システム、特許文献１の技術を含め、既述したお年玉付年賀葉書に相当するような付加価値を伴う電報及び電報処理システムは見当たらないのが現状である。
【特許文献１】特開平１１−２７４１２号公報
【発明の開示】
【発明が解決しようとする課題】
【０００７】
本発明が解決しようとする問題点は、我国で広く受け入れられているお年玉付年賀葉書に相当するような一定の付加価値を伴う新規、斬新な電報や電報処理システムが存在しない点である。
【課題を解決するための手段】
【０００８】
本発明に係る懸賞付き電報は、届け先、電報本文、差出人が記される電報台紙の一部に景品が当たる懸賞検索情報を付したことを最も主要な特徴とする。
【発明の効果】
【０００９】
請求項１、２記載の発明によれば、電報本来のメッセージ伝達機能を発揮することはもちろん、懸賞番号が当選した場合には、我国で広く受け入れられているお年玉付年賀葉書に相当するような一定の付加価値を届け先（受取人）側が享受することができる懸賞付き電報を提供することができる。
この場合、懸賞検索情報として懸賞番号、携帯電話読み取り用の懸賞番号を含む二次元識別情報のいずれか一方又は双方とすることで、パーソナルコンピュータ又は携帯電話のいずれかを使用して、当選の有無の検索が簡易で容易な懸賞付き電報を提供することができる。
【００１０】
請求項３乃至５記載の発明によれば、届け先側に一定の付加価値を享受させることができ、これにより差出人側の満足度も高まり、法人、個人を問わず顧客誘因、顧客増加の契機となり、電報ビジネス拡大を実現し得るとともに、不正な景品収受という事態を回避でき、信頼性の高い懸賞付き電報処理システムを提供することができる。
【００１１】
請求項６記載の発明によれば、請求項３乃至５記載の発明の効果に加え、差出人側にも一定の付加価値を享受させることができ、法人、個人を問わず顧客誘因、顧客増加の契機となり、電報ビジネスより一層拡大し得る懸賞付き電報処理システムを提供することができる。
【００１２】
請求項７記載の発明によれば、懸賞番号が当選した場合には、我国で広く受け入れられているお年玉付年賀葉書に相当するような一定の付加価値を届け先（受取人）側が享受することができる懸賞付き電報付加物を提供することができる。
【００１３】
請求項８記載の発明によれば、実施例２の場合と同様な効果を発揮するとともに、特に差出人と管理機関とでクレジットカード決済を行なうようにしているので、会員登録制でなくクレジットカード決済方式に基づいた広範囲の個人ユーザ向けの懸賞付き電報処理システムを提供することができる。
【発明を実施するための最良の形態】
【００１４】
本発明は、我国で広く受け入れられているお年玉付年賀葉書に相当するような一定の付加価値を伴う新規、斬新な懸賞付き電報を提供するという目的を有するものである。
【００１５】
本発明に係る懸賞付き電報は、届け先、電報本文、差出人が記される電報台紙の一部に景品が当たる懸賞番号、携帯電話読み取り用の懸賞番号を含む二次元識別情報のいずれか一方又は双方からなる懸賞検索情報を付した構成により上記目的を実現した。
【実施例】
【００１６】
以下に、本発明の実施例に係る懸賞付き電報及び懸賞付き電報処理システムについて図面を参照して詳細に説明する。
【００１７】
（実施例１）
本発明の実施例１に係る懸賞付き電報及び懸賞付き電報処理システムについて、図１乃至図４を参照して説明する。
【００１８】
本実施例１に係る懸賞付き電報１は、図１に示すように、例えば一枚の紙葉からなる電報台紙１ａに対して、上から順に電報本文欄２、届け先・差出人・連絡先記載欄３、不在投函のお知らせ欄４及び配達確認欄５の各欄を設け、これら各欄を画する３本の切り取りライン６の位置で個別に分離可能に構成している。前記電報本文欄２には、届け先、電報本文、差出人の各文字情報が記され、かつ、右下部に景品が当たる懸賞検索情報７を付している。
【００１９】
前記懸賞検索情報７は、懸賞番号８、携帯電話読み取り用の懸賞番号を含む二次元識別情報９（ＱＲコード：（株）デンソー：登録商標）のいずれか一方又は双方からなる構成としている。また、前記懸賞検索情報７の近傍には、懸賞付き電報である旨、管理機関へのアクセス用のホームページ情報等が記されている。前記届け先・差出人・連絡先記載欄３には、届け先、差出人の各郵便番号、住所、電話番号、氏名又は名称が記されるとともに、連絡先である管理機関の名称、電話番号も記されている。
【００２０】
前記不在投函のお知らせ欄４には、不在投函した旨の文字情報、連絡先である管理機関の名称、電話番号、メールアドレス、ホームページ情報、前記懸賞番号と同じ発注番号等が記されている。
【００２１】
前記配達確認欄５には、届け先、差出人の各郵便番号、住所、電話番号、氏名又は名称が記されるとともに、前記懸賞番号と同じ発注番号が記され、更に、配達時刻記載欄、受領印欄が設けられている。
【００２２】
なお、懸賞付き電報１の種類としては、昇進祝、結婚祝、誕生祝等の祝電類、ビジネス関連の電報類等特に限定するものではないが、例えば弔電の場合は除外する等の配慮が必要であることから、懸賞付か否かは、必要に応じて選択可能とすることが肝要となる。
【００２３】
次に、本実施例１に係る懸賞付き電報処理システム１０について、図２乃至図４を参照して説明する。
【００２４】
本実施例１に係る懸賞付き電報処理システム１０は、図２に示すように、インターネット網、電話回線網等の通信網２０に対して、前記懸賞付き電報１に関する総合的な管理を行なう管理機関２１のコンピュータシステム１１と、前記懸賞付き電報１の差出人（法人、個人を問わない）２２の情報作成・通信処理端末１２と、管理機関２１からの委託に基づき前記懸賞付き電報１の配達を行なう電報処理機関２３の電報処理機関端末１３と、前記懸賞付き電報１の届け先２４（受取人）の情報作成・通信処理端末１４とを接続して、前記懸賞付き電報１に関する種々の処理を行なうように構成している。
【００２５】
更に、前記届け先２４は、ファクシミリ装置２６を具備し、受け取った懸賞付き電報１が当選した場合には詳細は後述する本人確認書面を管理機関２１のコンピュータシステム１１に含まれるファクシミリ装置３７に送信するように構成している。
【００２６】
また、前記コンピュータシステム１１と金融機関２５の金融機関端末１５とをインターネット網等の通信網２０ａを介して接続し、前記懸賞付き電報１に対しての金融機関２５と連携した差出人２２に対する課金処理を行なうように構成している。
【００２７】
前記差出人２２の情報作成・通信処理端末１２は、パーソナルコンピュータ１２Ａ又は携帯電話１２Ｂが使用される。
【００２８】
同様に、前記届け先２４の情報作成・通信処理端末１４は、パーソナルコンピュータ１４Ａ又は携帯電話１４Ｂが使用される。
【００２９】
前記通信網２０としては、インターネット網、携帯電話網、電話回線網又はこれらが組み合わされた通信網が使用される。
【００３０】
前記管理機関２１のコンピュータシステム１１は、図３に示すように、前記情報作成・通信処理端末１２、１４、前記電報処理機関２３の電報処理機関端末１３との間の情報通信処理を行なう通信処理手段３１と、差出人２２の情報作成・通信処理端末１２に対してブラウザ機能により所要の情報を提供し予め多数の差出人２２の登録申し込みに応じた会員登録処理を行ない、ＩＤ、パスワードを差出人２２に発行する会員登録処理手段３２と、懸賞付き電報１に関する会員申込み情報、懸賞当選の有無を公開する懸賞告知ページ、懸賞当選者についての不正防止の観点からの本人確認用の景品申込み書面情報等の各種情報を提供するＷｅｂサーバ３３と、差出人２２から受信した届け先付き電報メッセージに基づき景品が当たる懸賞番号、携帯電話読み取り用の懸賞番号を含む二次元識別情報のいずれか一つ又は双方からなる懸賞検索情報を付加した懸賞付き電報情報を作成する電報情報作成手段３４と、作成した懸賞付き電報情報及び届け先への電報送信依頼を通信網２０を介して電報処理機関２３の電報処理機関端末１３に送信する電報情報送信処理手段３５と、多数の差出人２２からのＷｅｂサーバ３３の懸賞告知ページへのアクセスに応じて抽選・発表を例えば二カ月に一回のペースで行ない懸賞当選者を決定する懸賞当選者決定手段３６と、懸賞当選者に対する本人確認処理を行なうためのファクシミリ装置３７と、懸賞当選者に対する例えばギフト券のような景品の郵送による送付処理を行なう景品処理手段３８と、前記懸賞付き電報１の一件毎に所定の金額（１３００円等）の課金処理を例えば本人２のクレジットカード情報収集と、前記金融機関２５との連携とにより実行する課金処理手段３９と、このコンピュータシステム１１における各種情報を読み出し可能に記憶するデータベース４０と、各種メールの処理を行なうメールサーバ４１と、これら各要素を接続するＬＡＮ等の装置内通信網４２と、を有している。
【００３１】
前記景品処理手段３８が送付する景品としては、景表法が規定する懸賞基準に準拠した範囲内で定めるものである。
【００３２】
また、前記景品申込み書面情報は、所定の申込みフォームの基に、氏名、住所、連絡先、メールアドレス、配達指定日、電報種、差出人、文書内容等の各記載欄を設けたものである。
【００３３】
ここで、前記懸賞付き電報１の具体的な運営形態について説明すると、例えば二カ月毎に一回抽選していく形態を挙げることができる。
【００３４】
具体的には、１月１日乃至２月２８日の間の前記懸賞付き電報１の受注・配達分については、３月１日に抽選・発表（有効期限１年）、３月１日乃至４月３０日の間の前記懸賞付き電報１の受注・配達分については、５月１日に抽選・発表（有効期限１年）等の例を挙げることができる。
【００３５】
前記通信処理手段３１は、前記情報作成・通信処理端末１２、１４や、電報処理機関２３の電報処理機関端末１３の種類に応じた通信プロトコル（インターネットプロトコル：ＨＴＭＬ等、携帯電話プロトコル：コンパクトＨＴＭＬ等）変換を行ない、また、ファクシミリ情報の送受信処理を行なって、このコンピュータシステム１１と前記各要素との情報交信を実行する。
【００３６】
次に、本実施例１に係る懸賞付き電報１に関連する懸賞付き電報処理システム１０の具体的処理態様について図４をも参照して説明する。
【００３７】
本実施例１に係る懸賞付き電報処理システム１０において、管理機関２１におけるコンピュータシステム１１の会員登録処理手段３２は、通信網２０を介して差出人２２の情報作成・通信処理端末１２に対してブラウザ機能により会員登録に必要な氏名、住所、クレジトカードの番号収集等のための所要の情報を例えば前記Ｗｅｂサーバ３３のＷｅｂサイトを通じて提供する。
【００３８】
差出人２２は、情報作成・通信処理端末１２のパーソナルコンピュータ１２Ａ又は携帯電話１２Ｂにて氏名、住所、クレジトカードの番号等を入力し、通信網２０を介してコンピュータシステム１１の会員登録処理手段３２に送信する。
【００３９】
これにより、会員登録処理手段３２は、差出人２２の氏名、住所、クレジトカードの番号等をデータベース４０に送り記録保管して会員登録処理を行なうとともに、差出人２２に対して、ＩＤ、パスワードを発行する。
【００４０】
次に、会員である差出人２２は、情報作成・通信処理端末１２を操作し、管理機関２１のコンピュータシステム１１に懸賞付き電報１に関する電報送信依頼及び図１に示すような内容の届け先付き電報メッセージの送信を行なう。
【００４１】
コンピュータシステム１１における電報情報作成手段３４は、受信した届け先付き電報メッセージに基づき、図１に示すような内容の景品が当たる懸賞番号８、携帯電話読み取り用の懸賞番号を含む二次元識別情報９のいずれか一つ又は双方からなる懸賞検索情報７を付加した懸賞付き電報情報を作成する。
【００４２】
電報情報送信処理手段３５は、作成した懸賞付き電報情報及び届け先への電報送信依頼を通信網２０を介して前記電報処理機関２３の電報処理機関端末１３に送信する。
【００４３】
電報処理機関２３においては、管理機関２１のコンピュータシステム１１からの懸賞付き電報情報、電報送信依頼を通信網２０を介して電報処理機関端末１３にて受信し、これを基に、電報処理機関２３において、図１に示すように、電報本文欄２、届け先・差出人・連絡先記載欄３、不在投函のお知らせ欄４及び配達確認欄５を具備する電報台紙１ａに対して、各々該当する各情報を図示しないがプリンタを用いて印字し、かつ、前記懸賞検索情報７を表示した懸賞付き電報文書を作成して、届け先２４に配達する。
【００４４】
前記電報台紙１ａに表示する前記懸賞検索情報７としては、予め一枚毎に固有の懸賞番号８を付しておく態様を挙げることができる。
【００４５】
次に、上述したような懸賞付き電報１を受領した届け先２４（受取人）は、この懸賞付き電報１に付された前記懸賞検索情報７に基づき前記管理機関２１のコンピュータシステム１１のＷｅｂサーバ３３が提供する懸賞告知ページにアクセスし、懸賞当選の有無を検索する。
【００４６】
すなわち、届け先２４において、パーソナルコンピュータ１４Ａを使用する場合には、前記Ｗｅｂサーバ３３の懸賞告知ページにアクセスし、前記懸賞付き電報１に付された懸賞番号８を入力する。
【００４７】
前記コンピュータシステム１１の懸賞当選者決定手段３６は、多数の差出人２２からの懸賞告知ページへのアクセスに応じて懸賞番号８に関する抽選・発表を例えば二カ月に一回のペースで実行し、懸賞当選者を決定する。
【００４８】
一方、届け先２４において、携帯電話１４Ｂを使用する場合には、届け先２４は、前記懸賞付き電報１に付された二次元識別情報９を読み取り、これを基に携帯電話１４Ｂにて前記Ｗｅｂサーバ３３の懸賞告知ページにアクセスする。
【００４９】
前記コンピュータシステム１１の懸賞当選者決定手段３６は、多数の差出人２２からの二次元識別情報９による懸賞告知ページへのアクセスに応じて懸賞番号８に関する抽選・発表を例えば二カ月に一回のペースで実行し、懸賞当選者を決定する。
【００５０】
これにより、届け先２４は、自己の懸賞番号８が当選したか否かをパーソナルコンピュータ１４Ａ又は携帯電話１４Ｂを使用して確認することができる。
【００５１】
次に、懸賞当選者（届け先２４）は、前記コンピュータシステム１１が提供する前記申込みフォームをＷｅｂサーバ３３から取り込み、書面にプリントして、所定の事項を記載し、この書面と、例えば本人確認のための運転免許証のコピー書面とを前記ファクシミリ装置２６からコンピュータシステム１１のファクシミリ装置３７に送信する。
【００５２】
これにより前記管理機関２１側で景品当選者の本人確認を行ない、不正防止を図りつつ前記景品処理手段３８にて前記懸賞付き電報１に関する真の当選者にのみギフト券等の景品を郵便等で送付する処理を行なうことができる。この後、当該懸賞付き電報１に関するデータを消去し、景品の二重受け取りというような不正を防止する。
【００５３】
また、前記コンピュータシステム１１の課金処理手段３９は、金融機関２５と連携して、差出人２２のクレジットカード情報を基に懸賞付き電報１の受注・配達に対して、一件毎に所定の金額（１３００円等）の課金処理を行ない個々の差出人２２から所定の金額を徴収する。
【００５４】
以上説明した本実施例１の懸賞付き電報１、懸賞付き電報処理システム１０によれば、以下のような新規、斬新な作用、効果を奏する。
【００５５】
すなわち、本実施例１の懸賞付き電報１によれば、電報本来のメッセージ伝達機能を発揮することはもちろん、懸賞検索情報７の懸賞番号８が当選した場合には、我国で広く受け入れられているお年玉付年賀葉書に相当するような一定の付加価値を届け先２４（受取人）側で享受することができる利点がある。
【００５６】
また、本実施例１の懸賞付き電報処理システム１０によれば、管理機関２１側においては、コンピュータシステム１１を使用し、電報処理機関２３と連携して上述したように懸賞付き電報１を差出人２２から届け先２４に配達する処理を次々と行なうことで、届け先２４側に一定の付加価値を享受させることができ、これにより差出人２２側の満足度も高まり、法人、個人を問わず顧客誘因、顧客増加の契機となり、電報ビジネス拡大を実現し得る斬新なシステムを構築できる。
【００５７】
また、既述したように、ファクシミリ装置２６、３７を使用した当選者本人の確認処理も実行することから、例えば、結婚式場等のように、届け先２４が結婚式場の係員を介して懸賞付き電報１を間接的に受け取るような場合に生じ易い不正な景品収受という事態を回避でき、信頼性の高い懸賞付き電報処理システム１０を構築できる。
【００５８】
（実施例２）
本発明の実施例２に係る懸賞付き電報１及び懸賞付き電報処理システム１０Ａについて、図５、図６を参照して説明する。
【００５９】
本実施例２に係る懸賞付き電報処理システム１０Ａは、既述した懸賞付き電報処理システム１０の場合と基本的には同様な構成であるが、差出人２２側に、前記パーソナルコンピュータ１２Ａ、携帯電話１２Ｂからなる情報作成・通信処理端末１２に加えて、差出した懸賞付き電報１が当選した場合に前記管理機関２１に本人確認書面を送信するファクシミリ装置２７を付加したこと、前記管理機関２１のコンピュータシステム１１から懸賞付き電報情報の送信控を差出人２２側の前記パーソナルコンピュータ１２Ａ、携帯電話１２Ｂ又はファクシミリ装置２７に送信し、これにより、差出人２２も管理機関２１が提供する懸賞に応募し、かつ、本人確認も実現できるようにしたことが特徴である。
【００６０】
すなわち、本実施例２に係る懸賞付き電報処理システム１０Ａにおける差出人２２から、コンピュータシステム１１、電報処理機関２３を経由する届け先２４への懸賞付き電報１の配達処理及びこれに基づく作用、効果は実施例１の場合と全く同様である。
【００６１】
一方、本実施例２において、差出人２２側では自己が届け先２４宛に送った懸賞付き電報１の送信控を入手して、実施例１の場合と同様にして管理機関２１が提供する懸賞告知ページにアクセスし、当選した暁には本人確認のための所定の書面、運転免許証等のコピー書面をファクシミリ装置２７を使用して管理機関２１に送信して本人確認処理を経た後に前記届け先２４とともにギフト券の収受というようなお年玉付年賀葉書に相当する一定の付加価値を享受することが可能となり、これにより、法人、個人を問わず顧客誘因、顧客増加のより一層の契機となり、電報ビジネス拡大を大いに実現し得る新規、斬新なシステムを構築できる。
【００６２】
また、この場合にも既述した場合と同様にして、ファクシミリ装置２７、３７を使用した当選者本人の確認処理も実行することから、差出人２２側における不正な景品収受という事態はなくなり、やはり信頼性の高い懸賞付き電報処理システム１０Ａを構築できる。
【００６３】
（実施例３）
本発明の実施例３に係る懸賞付き電報付加物及び懸賞付き電報処理システム１０Ａについて、図７乃至図１０を参照して説明する。
【００６４】
本実施例３に係る懸賞付き電報付加物は、図７、図８、図９に示すように、差出人２２から届け先２４に対して送信される電報台紙５０に付加して贈答される例えば縫いぐるみ５１に添付される縫いぐるみ添付シール５２に対して、実施例１の場合と同様に景品が当たる懸賞検索情報７、懸賞番号８、携帯電話読み取り用の懸賞番号を含む二次元識別情報９を付したことが特徴である。
【００６５】
前記懸賞付き電報付加物としては、この他、金券、クーポン券等種々の物品を挙げることができる。  
【００６６】
次に、本実施例３に係る懸賞付き電報処理システムについて、図１０をも参照して説明する。
【００６７】
本実施例３の懸賞付き電報処理システムは、図５に示すようなシステム構成を採用した実施例２の場合と同様な構成であるが、図１０に示すように、差出人２２が管理機関２１に対して届け先２４への電報送信依頼及びこの電報とともに届け先２４へ贈答する縫いぐるみ添付シール５２付きの縫いぐるみ５１の送信依頼を行なうようにしたこと、差出人２２と管理機関２１とでクレジットカード決済を行なうようにしたことが大きな特徴であり、この他の処理の流れは実施例２の場合と略同様である。
【００６８】
上述した本実施例３に係る懸賞付き電報付加物によれば、縫いぐるみ添付シール５２、金券、クーポン券等からなる懸賞付き電報付加物に、懸賞検索情報７、懸賞番号８、携帯電話読み取り用の懸賞番号を含む二次元識別情報９を付したものであるから、懸賞検索情報７の懸賞番号８が当選した場合には、我国で広く受け入れられているお年玉付年賀葉書に相当するような一定の付加価値を届け先２４（受取人）側で享受することができ、また、差出し人２２側でも同様に一定の付加価値を享受できる利点がある。
【００６９】
また、本実施例３の懸賞付き電報処理システムによれば、実施例２の場合と同様な作用、効果を発揮するとともに、特に差出人２２と管理機関２１とでクレジットカード決済を行なうようにしているので、会員登録制でなくクレジットカード決済方式に基づいた広範囲の個人ユーザ向けの懸賞付き電報処理システムを提供することができる。
【産業上の利用可能性】
【００７０】
本発明は、上述した場合の他、例えば多数の差出人が各々届け先に贈答品を送るお歳暮・お中元処理システム等にも広範に応用可能である。
【図面の簡単な説明】
【００７１】
【図１】本発明の実施例１に係る懸賞付き電報を示す表面図である。
【図２】本実施例１に係る懸賞付き電報処理システムの全体構成を示すブロック図である。
【図３】本実施例１に係る懸賞付き電報処理システムにおける管理機関のコンピュータシステムのブロック図である。
【図４】本実施例１に係る懸賞付き電報処理システムの処理の流れを示す説明図である。
【図５】本発明の実施例２に係る懸賞付き電報処理システムの全体構成を示すブロック図である。
【図６】本実施例２に係る懸賞付き電報処理システムの処理の流れを示す説明図である。
【図７】本発明の実施例３に係る電報台紙を示す平面図である。
【図８】本実施例３に係る縫いぐるみ及び縫いぐるみ添付シールを示す斜視図である。
【図９】本実施例３に係る縫いぐるみ添付シールを示す平面図である。
【図１０】本実施例３に係る懸賞付き電報処理システムの処理の流れを示す説明図である。
【符号の説明】
【００７２】
１    懸賞付き電報
１ａ  電報台紙
２    電報本文欄
３    届け先・差出人・連絡先記載欄
４    不在投函のお知らせ欄
５    配達確認欄
６    切り取りライン
７    懸賞検索情報
８    懸賞番号
９    二次元識別情報
１０    懸賞付き電報処理システム
１０Ａ  懸賞付き電報処理システム
１１    コンピュータシステム
１２    情報作成・通信処理端末
１２Ａ  パーソナルコンピュータ
１２Ｂ  携帯電話
１３    電報処理機関端末
１４    情報作成・通信処理端末
１４Ａ  パーソナルコンピュータ
１４Ｂ  携帯電話
１５    金融機関端末
２０    通信網
２０ａ  通信網
２１    管理機関
２２    差出人
２３    電報処理機関
２４    届け先
２５    金融機関
２６    ファクシミリ装置
２７    ファクシミリ装置
３１    通信処理手段
３２    会員登録処理手段
３３    Ｗｅｂサーバ
３４    電報情報作成手段
３５    電報情報送信処理手段
３６    懸賞当選者決定手段
３７    ファクシミリ装置
３８    景品処理手段
３９    課金処理手段
４０    データベース
４１    メールサーバ
４２    装置内通信網
５０    電報台紙
５１    縫いぐるみ
５２    縫いぐるみ添付シール
【図１】
2010152637.tif 000003
【図２】
2010152637.tif 000004
【図３】
2010152637.tif 000005
【図４】
2010152637.tif 000006
【図５】
2010152637.tif 000007
【図６】
2010152637.tif 000008
【図７】
2010152637.tif 000009
【図８】
2010152637.tif 000010
【図９】
2010152637.tif 000011
【図１０】
2010152637.tif 000012